(57)【要約】【課題】携帯電話のディスプレイ部の映像を視認し乍ら、自己の容姿を自然、且つ、容易に視ることができる携帯電話を得る。【解決手段】本発明は操作キー２等が配設された本体部３と、該本体部３に蝶番４を介して開閉自在に設けられたディスプレイ部５とから成る携帯電話１に於いて、前記ディスプレイ部５の画面の裏面側であって、且つ、ディスプレイ部５の内側に鏡体を出入自在に収納できる空間部７を設けると共に、該空間部７は該ディスプレイ部５の一側面が開放されて開口部８が形成され、該開口部８の下端部に前記鏡体６の一側下端部を枢支し、該枢支部を介して該鏡体６を前記ディスプレイ部５の側面から略９０度外側へ回動させて現出させることができるように構成された鏡付携帯電話を提供する。【選択図】  図１
2004297375.tif 000002
【特許請求の範囲】
【請求項１】
操作キー等が配設された本体部と、該本体部に蝶番を介して開閉自在に設けられたディスプレイ部とから成る携帯電話に於いて、前記ディスプレイ部の画面の裏面側であって、且つ、ディスプレイ部の内側に鏡体を出入自在に収納できる空間部を設けると共に、該空間部は該ディスプレイ部の一側面が開放されて開口部が形成され、該開口部の下端部に前記鏡体の一側下端部を枢支し、該枢支部を介して該鏡体を前記ディスプレイ部の側面から略９０度外側へ回動させて現出させることができるように構成されたことを特徴とする鏡付携帯電話。
【発明の詳細な説明】
【０００１】
【発明の属する技術分野】
この発明は鏡付携帯電話に関するものであり、特に、操作キーが配設された本体部と、該本体部に蝶番を介して開閉自在に設けられたディスプレイ部とから成る鏡付携帯電話に関するものである。
【０００２】
【従来の技術】
従来の此種鏡付携帯電話は、本体部に操作キーとディスプレイ部が配設され、更に、該操作キー面をカバーするための蓋体が該本体の端部に蝶番を介して開閉自在に設けられ、且つ、該蓋体の裏面に接着剤によって鏡体が装着されて成る。（例えば、引用文献１参照）
引用文献１：特開２００１−７９１０号
【０００３】
【発明が解決しようとする課題】
上記従来例の携帯用電話に付着された鏡体を用いる場合は、該鏡体を付着している蓋体を略１８０度開いて自己の顔面等を描写することになる。従って、ディスプレイとの位置関係が上下であって、ディスプレイを観察し乍ら自己の姿を見るときは、顔を上下に動かす必要が生じて不便であると同時に、携帯電話の使用中に於いては常に上記鏡体も現われることになり、従って自己の顔が常時映し出されることになる。
【０００４】
そこで、携帯電話使用中に於いても、鏡を用いたいときのみに鏡体の使用が可能であり、且つ、ディスプレイ映像を見ながら鏡体も用いるとき、顔を上下に動かすことなく、ディスプレイと鏡体を同時に見ることができる鏡付携帯電話を得るために解決せられるべき技術的課題が生じてくるのであり、本発明は該課題を提供することを目的とする。
【０００５】
【課題を解決するための手段】
本発明は上記目的を達成するために提案せられたものであり、操作キー等が配設された本体部と、該本体部に蝶番を介して開閉自在に設けられたディスプレイ部とから成る携帯電話に於いて、前記ディスプレイ部の画面の裏面側であって、且つ、ディスプレイ部の内側に鏡体を出入自在に収納できる空間部を設けると共に、該空間部は該ディスプレイ部の一側面が開放されて開口部が形成され、該開口部の下端部に前記鏡体の一側下端部を枢支し、該枢支部を介して該鏡体を前記ディスプレイ部の側面から略９０度外側へ回動させて現出させることができるように構成された鏡付携帯電話を提供するものである。
【０００６】
【発明の実施の形態】
以下、本発明の一実施の形態を図１及び図２に従って詳述する。図に於いて１は携帯電話である。該携帯電話１は操作キー２，２…等を配設した本体部３と、該本体部３の上端部に蝶番４を介して開閉自在に枢着されているディスプレイ部５とから成る。該ディスプレイ部５の上端部にはアンテナＡが出没自在に装着されている。
【０００７】
而して、該ディスプレイ部５の画面５ａの裏面には方形の鏡体６を収納できる空間部７が設けられている。而も、該空間部７は方形の鏡体６と対象形であって、且つ、該鏡体６より僅かに大きく形成されると共に、図１に於いて右側面に該空間部７の開口部８が設けられ、そして、該開口部８を介して該鏡体６をディスプレイ部５に出入自在に取付けられている。
【０００８】
而して、該鏡体６は枠体６ａに嵌合されており、且つ、該鏡体６を前記空間部７に収納したときに、該鏡体６の右側下端部に位置する該枠体６ａの右側下端部を前記開口部８の下端部に枢支ピン９を介して枢支し、更に、該枢支ピン９と反対側の枠体６ａに、例えば浅い凹部（図示せず）を設け、そして、該鏡体６を前記空間部７に収納したときの前記鏡体６に設けた凹部と対峙する個所のディスプレイ部５、及び該鏡体６を該空間部７の前記開口部８から前記枢支ピン９を介して右側方向へ９０度回動して出現させたときに、該鏡体６の前記凹部と対峙する個所のディスプレイ部５の夫々の背面側にボールクラッチ１０，１０を配設し、そして、該ボールクラッチ１０の先端部に設けられているボール（図示せず）を背面のスプリング（図示せず）が付勢し、該ボールを前記枠体６ａに設けた凹部に嵌合させることにより、該鏡体６を前記空間部７及び該空間部７から９０度右側方へ回動出現させた位置に固定できるように構成されて成るのである。
【０００９】
本発明の一実施の形態は上述する如き構成に係るから、先ず、前記鏡体６は前記空間部７内に収納しておく。このとき、該鏡体６は前記ボールクラッチ１０の作用にて収納した状態で固定され、不慮出現することはない。又、該鏡体６の使用に際しては、例えば図１に於いて、該鏡体６の下方右側に位置する枠体６ａに設けられている把体１１を摘んで、該鏡体６を前記空間部７より抽き出す。このとき、該枠体６ａに設けられている凹部はディスプレイ部５の左方下端部に設けられている前記ボールクラッチ１０より離脱し、そして、該鏡体６を９０度右側へ回動させて出現させたとき、該ディスプレイ部５の右側上方部位に設けられているボールクラッチ１０のボールが該鏡体６の枠体６ａに設けられている凹部に嵌合して該鏡体６を該ディスプレイ部５から９０度右方に回動して出現させ、その位置で固定することができる。従って、携帯電話１の使用中に於いて自己の容姿を該鏡体６にて視認し、必要に応じて自己の容姿を整えて交信相手方へ送信できる。このとき、該ディスプレイ部５の右側に該鏡体６が出現して該ディスプレイ部５と並設されるのであるから、従来のように携帯電話使用者は頭を上下に動かす必要がなくなり、鏡体６の使用が極めて便利となる。
【００１０】
更に又、該鏡体６は両面鏡とすることもできることは当然である。この場合に於いては単に身だしなみを整えるとき、本体部３とディスプレイ部５を閉塞したままの状態で該鏡体６のみを回動させてディスプレイ部５から出現させれば、前面のみならず、背面部の鏡面も使用できるので一層便宜となる。
【００１１】
又、本発明の前記ディスプレイ部５に設けた空間部であって、鏡体６の枠体６ａに設けた前記凹部が通過する曲線上に複数のボールクラッチ１０ａ，１０ａ…をディスプレイ部５に適宜配設してもよい。然るときは、鏡体６は９０度の範囲内に於いて任意の角度に出現させることも可能となる。
【００１２】
尚、本発明は、本発明の精神を逸脱しない限り種々の改変を為すことができ、そして、本発明が該改変されたものに及ぶことは当然である。
【００１３】
【発明の効果】
本発明は本体部とディスプレイ部とが蝶番にて開閉自在に形成されて成る携帯電話に於いて、ディスプレイ部の画面の裏面に空間部が設けられ、該空間部に鏡体の下端部を回動支点として該鏡体が該空間部に出入自在に収納されているので、該携帯電話は通常の携帯電話として用いることができることは当然であるが、最近、送受信者相互の容姿を相手方へ送信（又は受信）する際、ディスプレイ部に収納してある前記鏡体を該鏡体に設けた枢支ピンを介して該ディスプレイ部から回動させ乍ら現出させることにより、予め自己の容姿を整えることができる。このとき、該鏡体はディスプレイ部と並設されることになるので頭を動かす必要がなく、極めて自然に自己の容姿を視見し乍ら整えることができ、更に、該鏡体の使用を欲しない場合は、たとえ携帯電話の使用中に於いても該鏡体は前記空間部に収容した状態で該携帯電話を使用することができる。
【００１４】
斯くして、鏡体も該携帯電話と共に常時携帯されるので、該鏡体は携帯用の通常の鏡としても用いることもできるので、ハンドバック等に別途鏡を容れて携行する必要もなくなる等、正に諸種の著大なる効果を奏する発明である。
【図面の簡単な説明】
【図１】本発明の鏡付携帯電話を示し、その斜面図。
【図２】図１の側面図。
【符号の説明】
１          携帯電話
２          操作キー
３          本体部
４          蝶番
５          ディスプレイ部
５ａ        画面
６          鏡体
６ａ        枠体
７          空間部
８          開口部
９          枢支ピン
１０          ボールクラッチ
１１          把体
【図１】
2004297375.tif 000003
【図２】
2004297375.tif 000004